(57)【要約】【課題】レンズが接着固定されるレンズ支持構造において、熱衝撃による接着剤の剥離を抑制する。【解決手段】レンズ支持構造４０は、光学有効部５を有するレンズ１と、レンズ１の外周側に配置されレンズ１を支持する支持部材３と、レンズ１と支持部材３との間に配置されレンズ１を支持部材３に対して固定する接着剤２とを備えている。レンズ１および支持部材３のうち少なくとも一方は、光学有効部５と支持部材３とを接着剤を介して弾性的に連結する弾性変形部４を有している。【選択図】図２
2007304415.tif 000002
【特許請求の範囲】
【請求項１】
光学的に有効な光学有効部を有するレンズと、
前記レンズの外周側に配置され、前記レンズを支持する支持部材本体を有する支持部材と、
前記レンズと前記支持部材との間に配置され、前記レンズを前記支持部材に対して固定する接着剤とを備え、
前記レンズおよび支持部材のうち少なくとも一方は、前記光学有効部と前記支持部材本体とを前記接着剤を介して弾性的に連結する弾性変形部を有している、
レンズ支持構造。
【請求項２】
前記レンズは、前記光学有効部の外周側に配置され前記光学有効部よりも剛性が低い前記弾性変形部を有している、
請求項１に記載のレンズ支持構造。
【請求項３】
前記弾性変形部は、前記光学有効部に一端が固定された状態で前記光学有効部から光軸に直交する仮想平面に沿って延び、前記接着剤が塗布される可撓部を有している、
請求項２に記載のレンズ支持構造。
【請求項４】
前記弾性変形部は、前記可撓部が弾性変形するための空間として前記光学有効部の外周側に形成された切欠部をさらに有している、
請求項３に記載のレンズ支持構造。
【請求項５】
前記弾性変形部は、前記光学有効部の外周側に両端が固定された状態で光軸に直交する仮想平面に沿って延び、前記接着剤が塗布される可撓部を有している、
請求項２に記載のレンズ支持構造。
【請求項６】
前記弾性変形部は、前記可撓部が弾性変形するための空間として前記光学有効部と前記可撓部との間に形成され光軸方向に貫通する貫通部をさらに有している、
請求項５に記載のレンズ支持構造。
【請求項７】
前記支持部材は、前記支持部材本体の前記レンズ側に配置され前記支持部材本体よりも剛性が低い前記弾性変形部を有している、
請求項１に記載のレンズ支持構造。
【請求項８】
前記弾性変形部は、前記支持部材本体に一端が固定された状態で前記支持部材本体から光軸に直交する仮想平面に沿って延び、前記接着剤が塗布される可撓部を有している、
請求項７に記載のレンズ支持構造。
【請求項９】
前記弾性変形部は、前記可撓部が弾性変形するための空間として前記支持部材本体の前記レンズ側に形成された切欠部をさらに有している、
請求項８に記載のレンズ支持構造。
【請求項１０】
前記弾性変形部は、前記支持部材本体の前記レンズ側に両端が固定された状態で光軸に直交する仮想平面に沿って延び、前記接着剤が塗布される可撓部を有している、
請求項７に記載のレンズ支持構造。
【請求項１１】
前記弾性変形部は、前記可撓部が弾性変形するための空間として前記支持部材本体と前記可撓部との間に形成され光軸方向に貫通する貫通部をさらに有している、
請求項１０に記載のレンズ支持構造。
【請求項１２】
光学機器に用いられるレンズ支持構造において、支持部材に対して接着剤により固定されるレンズであって、
光学的に有効な光学有効部と、
前記光学有効部と前記支持部材とを前記接着剤を介して弾性的に連結する弾性変形部と、
を備えたレンズ。
【請求項１３】
前記弾性変形部は、前記光学有効部の外周側に配置されており、前記光学有効部よりも剛性が低い、
請求項１２に記載のレンズ。
【請求項１４】
前記弾性変形部は、前記光学有効部に一端が固定された状態で前記光学有効部から光軸に直交する仮想平面に沿って延び、前記接着剤が塗布される可撓部を有している、
請求項１３に記載のレンズ。
【請求項１５】
前記弾性変形部は、前記可撓部が弾性変形するための空間として前記光学有効部の外周側に形成された切欠部をさらに有している、
請求項１４に記載のレンズ。
【請求項１６】
前記弾性変形部は、前記光学有効部の外周側に両端が固定された状態で光軸に直交する仮想平面に沿って延び、前記接着剤が塗布される可撓部を有している、
請求項１３に記載のレンズ。
【請求項１７】
前記弾性変形部は、前記可撓部が弾性変形するための空間として前記光学有効部と前記可撓部との間に形成され光軸方向に貫通する貫通部をさらに有している、
請求項１６に記載のレンズ。
【請求項１８】
光ディスクに記録された信号を読み取るための光ピックアップ装置であって、
光源と、
前記光源からの光束を前記光ディスクに導く光ピックアップ光学系と、
前記光ディスクからの反射光束を受光する受光素子とを備え、
前記光ピックアップ光学系は、請求項１から１１のいずれかに記載のレンズ支持構造または請求項１２から１７のいずれかに記載のレンズを有している、
光ピックアップ装置。
【発明の詳細な説明】
【技術分野】
【０００１】
本発明は、レンズを接着固定するレンズ支持構造、特に光ディスクドライブ装置に用いられる光ピックアップ装置のレンズ支持構造に関する。
【背景技術】
【０００２】
従来の光ピックアップ装置などの光学機器では、レンズの固定方法として接着固定が採用されている場合が多い（例えば、特許文献１を参照。）。図９に従来のレンズ支持構造の接着部断面図を示す。図９に示すように、従来のレンズ支持構造６４０は、支持部材６０３に対して円形状の樹脂製レンズ６０１が接着剤６０２により固定されている。支持部材６０３は、レンズ６０１の外形に沿った曲面を有しレンズ６０１を半径方向に支持する第１支持部６０３ａと、第１支持部６０３ａから光軸に直交する方向に延びる１対の第２支持部６０３ｂとを有しており、例えば亜鉛ダイキャストあるいは樹脂成形品などが採用されている。
図９に示すように、従来の構造では、レンズ６０１側面と第２支持部６０３ｂとの間に上方（図９の上側）よりディスペンサで接着剤６０２が注入され、その後、接着剤６０２に紫外線が照射される。この結果、接着剤６０２が硬化され、支持部材６０３にレンズ６０１が接着固定される。
このように、接着剤を用いることで、レンズを支持部材などに対して容易に固定することができる。
【特許文献１】特開平１１−２１１９５７号公報
【発明の開示】
【発明が解決しようとする課題】
【０００３】
一方で、光学機器の使用時においては、機器の発熱により装置内部の温度が上昇し、レンズ６０１や接着剤６０２などの温度が上昇するとともに、非使用時においては、機器が発熱しなくなるためレンズ６０１や接着剤６０２などの温度が外気温まで低下する。このように、光学機器に搭載されるレンズ支持構造のレンズ６０１や接着剤６０２などは、高温および低温の状態が繰り返される環境下において長期間使用される。
しかしながら、レンズ固定用の接着剤としては、例えば紫外線照射により硬化する紫外線硬化型のエポキシ系あるいはアクリル系接着剤が一般的に用いられており、これらの接着剤は温度変化により膨張あるいは収縮する。このため、光学機器において内部温度が変化することで、レンズ６０１や接着剤６０２が膨張や収縮を繰り返して接着剤６０２がレンズ６０１から剥離するおそれがある。
図１０および図１１を用いて、接着剤６０２の剥離についてより詳細に説明する。図１０に従来のレンズ支持構造の縦断面概略図、図１１に従来のレンズ支持構造の平面概略図を示す。例えば、接着固定したレンズに対して高温および低温状態を繰り返す熱衝撃試験（例えば、−４０度〜８０度の加熱冷却を５００回繰り返す試験）において、高温状態では接着剤６０２およびレンズ６０１は膨張するため、接着界面には圧縮力が加わる。一方、低温状態においては、図１０および図１１に示すようにレンズ６０１および接着剤６０２がいずれも収縮するため、接着剤６０２の接着界面周辺において引っ張り力６０９が発生し、接着界面において引き剥がし応力６０５が作用する。この結果、高温および低温が繰り返されることにより、界面端部６０６から剥離が進展し、場合によっては接着界面が完全に剥離してしまい、レンズ変位による光学特性の変化やレンズの脱落が発生する。
【０００４】
接着剤の量を増加させて強固に固着させることが考えられるが、接着剤量を増やすと膨張量および収縮量が増加する。このため、かえって内部応力を増加させる結果となり、高温状態においては接着剤の膨張によりレンズの歪みが大きくなり、光学特性を悪化させ、低温状態においては接着面に作用する引き剥がし応力が大きくなる。また、接着剤の量を減少させた場合、接着面積が少なくなるため、やはり接着面に作用する引き剥がし応力が増大し、レンズから接着剤が剥がれやすくなる。
このように、レンズが接着固定されるレンズ支持構造においては、熱衝撃により接着剤がレンズから剥離する可能性が高く、光ピックアップ装置などの光学機器の性能に大きく影響したり、あるいはレンズの脱落の要因となるため好ましくない。
本発明の課題は、レンズが接着固定されるレンズ支持構造において、熱衝撃による接着剤の剥離を抑制することにある。
【課題を解決するための手段】
【０００５】
第１の発明に係るレンズ支持構造は、光学的に有効な光学有効部を有するレンズと、レンズの外周側に配置されレンズを支持する支持部材本体を有する支持部材と、レンズと支持部材との間に配置されレンズを支持部材に対して固定する接着剤とを備えている。レンズおよび支持部材のうち少なくとも一方は、光学有効部と支持部材本体とを接着剤を介して弾性的に連結する弾性変形部を有している。
このレンズ支持構造では、例えばレンズが弾性変形部を有している場合、光学有効部と接着剤とが弾性変形部により弾性的に連結されているため、温度変化により接着剤が膨張あるいは収縮しても、接着剤の体積変化を弾性変形部により吸収することができる。また、支持部材が弾性変形部を有している場合、支持部材本体と接着剤とが弾性変形部により弾性的に連結されているため、接着剤の体積変化を弾性変形部により吸収することができる。これにより、レンズ側の接着界面に生じる引っ張り応力や剪断応力などの引き剥がし応力を低減することができ、熱衝撃による接着剤の剥離を抑制することができる。
第２の発明に係るレンズ支持構造は、第１の発明の構造において、レンズが光学有効部の外周側に配置され光学有効部よりも剛性が低い弾性変形部を有している。
第３の発明に係るレンズ支持構造は、第２の発明の構造において、弾性変形部が、光学有効部に一端が固定された状態で光学有効部から光軸に直交する仮想平面に沿って延び、接着剤が塗布される可撓部を有している。
【０００６】
第４の発明に係るレンズ支持構造は、第３の発明の構造において、弾性変形部が、可撓部が弾性変形するための空間として光学有効部の外周側に形成された切欠部をさらに有している。
第５の発明に係るレンズ支持構造は、第２の発明の構造において、弾性変形部が、光学有効部の外周側に両端が固定された状態で光軸に直交する仮想平面に沿って延び、接着剤が塗布される可撓部を有している。
第６の発明に係るレンズ支持構造は、第５の発明の構造において、弾性変形部が、可撓部が弾性変形するための空間として光学有効部と可撓部との間に形成され光軸方向に貫通する貫通部をさらに有している。
第７の発明に係るレンズ支持構造は、第１の発明の構造において、支持部材が支持部材本体のレンズ側に配置され支持部材本体よりも剛性が低い弾性変形部を有している。
第８の発明に係るレンズ支持構造は、第７の発明の構造において、弾性変形部が、支持部材本体に一端が固定された状態で支持部材本体から光軸に直交する仮想平面に沿って延び、接着剤が塗布される可撓部を有している。
第９の発明に係るレンズ支持構造は、第８の発明の構造において、弾性変形部が、可撓部が弾性変形するための空間として支持部材本体のレンズ側に形成された切欠部をさらに有している。
【０００７】
第１０の発明に係るレンズ支持構造は、第７の発明の構造において、弾性変形部が、支持部材本体のレンズ側に両端が固定された状態で光軸に直交する仮想平面に沿って延び、接着剤が塗布される可撓部を有している。
第１１の発明に係るレンズ支持構造は、第１０の発明の構造において、弾性変形部が、可撓部が弾性変形するための空間として支持部材本体と可撓部との間に形成され光軸方向に貫通する貫通部をさらに有している。
第１２の発明に係るレンズは、光学機器に用いられるレンズ支持構造において支持部材に対して接着剤により固定されるレンズであって、光学的に有効な光学有効部と、光学有効部と支持部材とを接着剤を介して弾性的に連結する弾性変形部とを備えている。
このレンズでは、光学有効部と接着剤とが弾性変形部により弾性的に連結されているため、温度変化により接着剤が膨張あるいは収縮しても、接着剤の体積変化を弾性変形部により吸収することができる。これにより、レンズ側の接着界面に生じる引っ張り応力や剪断応力などの引き剥がし応力を低減することができ、熱衝撃による接着剤の剥離を抑制することができる。
第１３の発明に係るレンズは、第１２の発明のレンズにおいて、弾性変形部が光学有効部の外周側に配置されており、光学有効部よりも剛性が低い。
【０００８】
第１４の発明に係るレンズは、第１３の発明のレンズにおいて、弾性変形部が、光学有効部に一端が固定された状態で光学有効部から光軸に直交する仮想平面に沿って延び、接着剤が塗布される可撓部を有している。
第１５の発明に係るレンズは、第１４の発明のレンズにおいて、弾性変形部が可撓部が弾性変形するための空間として光学有効部の外周側に形成された切欠部をさらに有している。
第１６の発明に係るレンズは、第１３の発明のレンズにおいて、弾性変形部が、光学有効部の外周側に両端が固定された状態で光軸に直交する仮想平面に沿って延び、接着剤が塗布される可撓部を有している。
第１７の発明の係るレンズは、第１６の発明のレンズにおいて、弾性変形部が可撓部が弾性変形するための空間として光学有効部と可撓部との間に形成され光軸方向に貫通する貫通部をさらに有している。
第１８の発明に係る光ピックアップ装置は、光ディスクに記録された信号を読み取るための光ピックアップ装置であって、光源と、光源からの光束を光ディスクに導く光ピックアップ光学系と、光ディスクからの反射光束を受光する受光素子とを備えている。光ピックアップ光学系は、第１から１１の発明に係るいずれかのレンズ支持構造または第１２から１７の発明に係るいずれかのレンズを有している。
【０００９】
この光ピックアップ装置では、上記のレンズ支持構造またはレンズを有しているため、接着界面に生じる引っ張り応力や剪断応力などの引き剥がし応力を低減することができ、熱衝撃による接着剤の剥離を抑制することができる。これにより装置の耐久性が向上する。
【発明の効果】
【００１０】
本発明のレンズおよびレンズ支持構造では、上記の構成を有しているため、接着界面に生じる引っ張り応力や剪断応力などの引き剥がし応力を低減することができ、熱衝撃による接着剤の剥離を抑制することができ、熱衝撃に強いレンズ接着が可能となる。
また、本発明の光ピックアップ装置では、このようなレンズおよびレンズ支持構造を有しているため、熱衝撃に強いレンズ接着が可能となり、装置の耐久性が向上する。
【発明を実施するための最良の形態】
【００１１】
以下、図面を参照しながら本発明の実施形態について説明する。
（第１実施形態）
（１）光ピックアップ装置の構成
図１に、本発明の第１実施形態に係るレンズ支持構造を採用した光学機器の一例としての光ピックアップ装置の概略構成図を示す。図１に示すように、光ピックアップ装置５０は、光ディスク５１に記録された信号を読み取るための装置であって、主に、信号を読み取るための光束を射出するとともに光ディスク５１からの反射光束を受光する半導体レーザユニット５８と、半導体レーザユニット５８からの光束を光ディスク５１に導くとともに光ディスク５１からの反射光束を半導体レーザユニット５８に導く光ピックアップ光学系５３とから構成されている。
半導体レーザユニット５８は、例えば光源としての半導体レーザ５２と、光ディスク５１からの反射光を回折するホログラム５９と、ホログラム５９で回折された光を検出する受光素子５４とから構成されている。
光ピックアップ光学系５３は、例えば半導体レーザ５２からの光束を略平行光に変換するコリメート光学系５５と、略平行光を折り曲げるプリズムなどの反射光学系５７と、反射光学系５７により折り曲げられた略平行光を光ディスクの記録面上に集光させる対物光学系５６とから構成されており、この光ピックアップ光学系５３の少なくとも一部にレンズ支持構造４０が採用されている。レンズ支持構造４０以外の構成については、従来の構成と何ら変わるところがないため、詳細な説明は省略する。
【００１２】
（２）レンズ支持構造について
図２に本発明の第１実施形態に係るレンズ支持構造の外観図、図３に第１実施形態に係るレンズ支持構造の詳細図を示す。図２および図３に示すように、レンズ支持構造４０は、主に、光ピックアップ光学系５３の一部に含まれる略円形状のレンズ１と、光ピックアップ装置５０のハウジング（図示せず）などに支持されレンズ１を支持するための支持部材３と、レンズ１を支持部材３に接着固定するための接着剤２とから構成されている。支持部材３は、レンズ１の外形に沿った円弧状の曲面を有しレンズ１を半径方向に支持する第１支持部３ａと、第１支持部３ａから光軸に直交する方向（図２では上側）へ延びる１対の第２支持部３ｂとから構成されている。レンズ１は第２支持部３ｂ同士の間に配置されており、レンズ１と各第２支持部３ｂとの間にはそれぞれ接着剤２が充填されている。接着剤２としては、例えば紫外線硬化型の接着剤が挙げられ、紫外線照射により硬化されている。このように、接着剤２によりレンズ１は支持部材３に固定されている。
このレンズ支持構造４０はレンズ１の接着部分の形状に特徴を有している。具体的には図２に示すように、レンズ１は、例えば樹脂製の凸レンズであり、主に、光学的に有効な円板状の光学有効部５と、光学有効部５の外周側に一体に形成された１対の弾性変形部４とから構成されている。なお、レンズ１は、凸レンズに限られず、他の形状のレンズであってもよい。
【００１３】
弾性変形部４は、１対の第２支持部３ｂに対向するように光学有効部５の第２支持部３ｂ側に形成されており、光ピックアップ装置５０の光学性能に影響を及ぼさない部分である。弾性変形部４は、光学有効部５と支持部材３とを接着剤２を介して弾性的に連結するための部分であり、光学有効部５よりも剛性が低くなっている。具体的には図３に示すように、弾性変形部４は、光学有効部５の外周側から光軸に直交する仮想平面に沿って（図３では紙面に沿って）延びる１対の可撓部１１を有している。
可撓部１１は第２支持部３ｂに沿って第２支持部３ｂが延びる方向（図３の上下方向）に突出しており、可撓部１１と光学有効部５との間には可撓部１１が光学有効部５側に弾性変形するために空間１２が形成されている。図３に示すように、１対の可撓部１１は１本の梁状部材１０を構成していると考えることもできる。この場合、梁状部材１０の中央部周辺が光学有効部５の外周側に固定されている。
可撓部１１は、例えば断面が矩形である梁のような形状を有しており、光学有効部５側および第２支持部３ｂ側（図３の左右方向）への曲げ方向の剛性が光学有効部５、接着剤２および支持部材３の剛性よりも低くなっている。また、可撓部１１は一端が固定端、他端が自由端となっているため、固定端側から自由端側にかけて徐々に剛性が低くなっている。すなわち、可撓部１１は光学有効部５側および第２支持部３ｂ側に弾性変形可能となっており、自由端側へいくにしたがって可撓部１１の変形量が大きくなっている。
【００１４】
以上のように、このレンズ支持構造４０では、光学有効部５および接着剤２は可撓部１１を有する弾性変形部４により、特に可撓部１１の自由端側の部分において弾性的に連結されている。
（３）作用効果
以下、上記の構成を有するレンズ支持構造４０における作用効果について説明する。
従来のレンズ支持構造では、高温時にレンズおよび接着剤が熱膨張する。この場合、レンズは接着剤から圧縮応力を受け歪みが発生するとともに、熱膨張差から接着剤界面にはせん断力が作用し、界面剥離が発生する。前述のように、界面剥離の場合、接着剤上端部（図１１の上側の界面端部６０６）あるいは下端部（図１１の下側の界面端部６０６）から亀裂が発生する。それは、最も大きな応力が上端部あるいは下端部に発生するためであり、これは有限要素法を用いた応力解析でも明らかである。
しかし、本発明に係るレンズ支持構造４０であれば、図３に示すように、高温状態では、レンズ１および接着剤２がそれぞれ膨張してようとするため、レンズ１の弾性変形部４と接着剤２との接着界面では内周側（図３の左側）に接着剤２が変位しようとし、接着界面において内周側へ引っ張り力が作用する。また、低温状態においては、レンズ１および接着剤２はそれぞれ収縮しようとするため、レンズ１の弾性変形部４と接着剤２との接着界面では外周側（図３の右側）に接着剤２が変位しようとし、接着界面において外周側へ引っ張り力９が作用する。このとき、接着剤２の収縮に応じて可撓部１１が第２支持部３ｂ側に弾性変形するため、接着剤２の体積変化を弾性変形部４により吸収することができる。これにより、レンズ１側の接着界面に生じる引っ張り応力や剪断応力などの引き剥がし応力を低減することができ、熱衝撃による接着剤の剥離を抑制することができる。
【００１５】
以上より、このレンズ支持構造４０およびそれを備えた光ピックアップ装置５０では、レンズ１から接着剤２が剥離するのを抑制することができ、光学特性の低下を防止することができるとともに、レンズ１の脱落を防止することができる。
なお、本実施形態では可撓部１１の断面形状は矩形であるが、これに限定されず、光学有効部５よりも剛性が低ければ他の形状であってもよい。
（第２実施形態）
前述の第１実施形態では、弾性変形部４が光学有効部５から延びる１対の可撓部１１を有しているが、以下のような構成も考えられる。図４を用いて、本発明の第２実施形態に係るレンズ支持構造について説明する。図４に、本発明の第２実施形態に係るレンズ支持構造の一例を示す。なお、前述の実施形態と同じ構成については同じ符号を使用するとともに、詳細な説明は省略する。
図４に示すように、第２実施形態に係るレンズ支持構造１４０では、弾性変形部１０４が光学有効部１０５の外周側に１対のスリット１１２を有している。スリット１１２は、光学有効部１０５の外周側から斜めに切り込まれた切欠部であり、外周側へいくにしたがって徐々に幅が広くなっている。スリット１１２が形成された結果、光学有効部１０５の外周側に１対の可撓部１１１が形成されている。可撓部１１１は先端が自由端となっており、先端側へいくにしたがって徐々に細くなっている。可撓部１１１の剛性は、光学有効部１０５、接着剤１０２および支持部材３の剛性よりも低くなっている。スリット１１２により可撓部１１１が弾性変形するための空間が確保されている。
【００１６】
この場合も前述の第１実施形態と同様に、可撓部１１１が光学有効部５側および接着剤１０２側に弾性変形可能となっているため、温度変化によりレンズ１０１および接着剤１０２が膨張・収縮しても、レンズ１０１および接着剤１０２の体積変化を可撓部１１１により吸収することができる。これにより、レンズ１０１側の接着界面に生じる引っ張り応力や剪断応力などの引き剥がし応力を低減することができ、熱衝撃による接着剤の剥離を抑制することができる。
また、円形状のレンズ１０１にスリット１１２を形成することで可撓部１１１を形成しているため、前述の第１実施形態に係るレンズ支持構造４０よりも材料費を削減することができる。
なお、スリット１１２の形状は前述のものに限られず、他の形状であってもよい。
（第３実施形態）
前述の第１および第２実施形態では、一方が固定端、他方が自由端である可撓部により弾性変形部を実現しているが、以下のような実施形態も考えられる。図５を用いて、本発明の第３実施形態に係るレンズ支持構造について説明する。図５に、本実施形態に係るレンズ支持構造の一例を示す。なお、前述の実施形態と同じ構成については同じ符号を使用するとともに、詳細な説明は省略する。
【００１７】
図５に示すように、第３実施形態に係るレンズ支持構造２４０では、弾性変形部２０４が光学有効部２０５の外周側に沿って形成された可撓部２１１を有している。具体的には、光学有効部２０５の外周側には図５の上下方向に円弧状に延びる三日月形状の貫通部２１２が形成されており、この結果、光学有効部２０５の外周側に両端が固定された可撓部２１１が形成されている。可撓部２１１は、例えば断面が矩形である梁のような形状を有しており、光学有効部２０５側および第２支持部３ｂ側（図５の左右方向）への曲げ方向の剛性が光学有効部２０５、接着剤２０２および支持部材３の剛性よりも低くなっている。貫通部２１２により可撓部２１１が光軸中心側へ弾性変形するための空間が確保されている。可撓部２１１の第２支持部３ｂ側には接着剤２０２が塗布されている。
この場合も前述の第１および第２実施形態と同様に、可撓部２１１が光学有効部２０５側および接着剤２０２側に弾性変形可能となっているため、温度変化によりレンズ２０１および接着剤２０２が膨張・収縮しても、レンズ２０１および接着剤２０２の体積変化を可撓部２１１により吸収することができる。これにより、レンズ２０１側の接着界面に生じる引っ張り応力や剪断応力などの引き剥がし応力を低減することができ、熱衝撃による接着剤２０２の剥離を抑制することができる。
【００１８】
また、円形状のレンズ２０１に貫通部２１２を形成することで可撓部２１１を形成しているため、前述の第１実施形態に係るレンズ支持構造４０よりも材料費を削減することができる。
なお、可撓部２１１および貫通部２１２の形状は前述のものに限られず、他の形状であてもよい。
（第４実施形態）
前述の第１〜第３実施形態では、レンズ側に弾性変形部が設けられているが、支持部材側に弾性変形部が設けられていてもよい。図６を用いて、本発明の第４実施形態に係るレンズ支持構造の一例を示す。なお、前述の実施形態と同じ構成については同じ符号を使用するとともに、詳細な説明は省略する。
図６に示すように、第４実施形態に係るレンズ支持構造３４０では、支持部材３０３に弾性変形部３０４が設けられている。具体的には、弾性変形部３０４は、光軸方向に第２支持部３０３ｂを貫通する貫通部３２１と、貫通部３２１を覆うように第２支持部３０３ｂに取り付けられた可撓部としての板状部材３２０を有している。板状部材３２０は、例えば金属の薄板などにより構成されており、板状部材３２０の曲げ方向の剛性は、第２支持部３０３ｂ、接着剤３０２およびレンズ３０１の剛性よりも低くなっている。支持部材３０３側の接着剤３０２は板状部材３２０にのみ塗布されている。
【００１９】
この場合も、前述の第１〜第３実施形態と同様に、板状部材３２０がレンズ３０１側および貫通部３２１側に弾性変形可能となっているため、温度変化により接着剤３０２が膨張・収縮しても、接着剤３０２の体積変化を板状部材３２０により吸収することができる。これにより、レンズ３０１側および板状部材３２０側の接着界面に生じる引っ張り応力や剪断応力などの引き剥がし応力を低減することができ、熱衝撃による接着剤の剥離を抑制することができる。
また、支持部材３０３に板金製の板状部材３２０を組み込むだけであるため、第１〜第３実施形態のようにレンズ成型過程に工夫をする必要がなく、レンズ取り付け精度にも特別な配慮が不要となる。これにより、光学特性への影響を配慮することなく、熱衝撃に強いレンズ接着を容易に実現できる。
（第５実施形態）
前述の第４実施形態では、弾性変形部３０４として板金製の板状部材３２０を採用しているが、以下のような実施形態も考えられる。図７を用いて、本発明の第５実施形態に係るレンズ支持構造について説明する。図７に本発明の第５実施形態に係るレンズ支持構造の一例を示す。なお、前述の実施形態と同じ構成については同じ符号を使用するとともに、詳細な説明は省略する。
【００２０】
図７に示すように、第５実施形態に係るレンズ支持構造４４０では、第２支持部４０３ｂに設けられた弾性変形部４０４が前述の第１実施形態と同様に１対の可撓部４１１を有している。可撓部４１１は第２支持部４０３ｂと一体成形されており、可撓部４１１の剛性は支持部材３、接着剤４０２およびレンズ４０１の剛性よりも低くなっている。
この場合であっても、前述の実施形態と同様に、可撓部４１１がレンズ３０１側および第２支持部４０３ｂ側に弾性変形可能となっているため、温度変化により接着剤４０２が膨張・収縮しても、接着剤４０２の体積変化を弾性変形部４０４により吸収することができる。これにより、レンズ３０１側および弾性変形部４０４側の接着界面に生じる引っ張り応力や剪断応力などの引き剥がし応力を低減することができ、熱衝撃による接着剤の剥離を抑制することができる。
（第６実施形態）
前述の第５実施形態に第２実施形態を適応することもできる。図８を用いて本発明の第６実施形態に係るレンズ支持構造について説明する。図８に、本発明の第６実施形態に係るレンズ支持構造の一例を示す。なお、前述の実施形態と同じ構成については同じ符号を使用するとともに、詳細な説明は省略する。
【００２１】
図８に示すように、第６実施形態に係るレンズ支持構造５４０では、支持部材５０３に弾性変形部５０４が設けられており、第２支持部５０３ｂに１対のスリット５１２が形成されている。この結果、支持部材５０３のレンズ３０１側には１対の可撓部５１１が形成されている。可撓部５１２の曲げ方向の剛性は、第２支持部５０３ｂ、接着剤５０２およびレンズ３０１の剛性よりも低くなっている。
この場合も前述の実施形態と同様に、可撓部５１１がレンズ３０１側および第２支持部５０３ｂ側に弾性変形可能となっているため、温度変化により接着剤５０２が膨張・収縮しても、接着剤５０２の体積変化を弾性変形部５０４により吸収することができる。これにより、レンズ３０１側および弾性変形部５０４側の接着界面に生じる引っ張り応力や剪断応力などの引き剥がし応力を低減することができ、熱衝撃による接着剤の剥離を抑制することができる。
（その他の実施形態）
本発明の具体的な構成は、前述の実施形態に限られるものではなく、発明の要旨を逸脱しない範囲で種々の変更および修正が可能である。
例えば、前述の実施形態では本発明のレンズ支持構造を光ピックアップ装置に適用した場合について記載しているが、光ピックアップ装置に限られず、レンズを接着剤により固定する全ての光学機器において適用可能である。光ピックアップ装置の構成も前述のものに限られない。
【００２２】
また、前述の各実施形態の構成を組み合わせて、熱衝撃に強いレンズ支持構造を実現してもよい。例えば、レンズ側および支持部材側に弾性変形部が設けられていてもよい。
なお、前述の実施形態ではレンズの接着箇所が光軸を挟んで２カ所設けられているが、接着箇所はこれに限られない。例えば、接着箇所がさらに多い場合や、あるいは全周を接着する場合であっても同様の効果を得ることができる。
【産業上の利用可能性】
【００２３】
本発明に係るレンズ支持構造では、温度変化によりレンズや接着剤の膨張・収縮が繰り返されても、接着界面での応力が緩和され、接着剤の剥離を抑制することができる。このため、本発明は光ディスクドライブ装置に用いられる光ピックアップ装置などの温度変化が繰り返される光学機器の分野において有用である。
【図面の簡単な説明】
【００２４】
【図１】本発明の第１実施形態に係るレンズ支持構造を採用した光学機器の一例としての光ピックアップ装置の概略構成図。
【図２】本発明の第１実施形態に係るレンズ支持構造の外観図。
【図３】本発明の第１実施形態に係るレンズ支持構造の詳細図。
【図４】本発明の第２実施形態に係るレンズ支持構造の詳細図。
【図５】本発明の第３実施形態に係るレンズ支持構造の詳細図。
【図６】本発明の第４実施形態に係るレンズ支持構造の詳細図。
【図７】本発明の第５実施形態に係るレンズ支持構造の詳細図。
【図８】本発明の第６実施形態に係るレンズ支持構造の詳細図。
【図９】従来のレンズ支持構造の接着部断面図。
【図１０】従来のレンズ支持構造の縦断面概略図。
【図１１】従来のレンズ支持構造の平面概略図。
【符号の説明】
【００２５】
１  レンズ
２  接着剤
３  支持部材
４  弾性変形部
５  光学有効部
１１  可撓部
１２  空間（切欠部）
４０  レンズ支持構造
５０  光ピックアップ装置
５１  光ディスク
５２  半導体レーザ（光源）
５３  光ピックアップ光学系
５４  受光素子
５５  コリメート光学系
５６  対物光学系
５７  反射光学系
５８  半導体レーザユニット
５９  ホログラム
１１１  可撓部
１１２  スリット（切欠部）
２１１  可撓部
３２０  板状部材（可撓部）
２１２，３２１  貫通部
【図１】
2007304415.tif 000003
【図２】
2007304415.tif 000004
【図３】
2007304415.tif 000005
【図４】
2007304415.tif 000006
【図５】
2007304415.tif 000007
【図６】
2007304415.tif 000008
【図７】
2007304415.tif 000009
【図８】
2007304415.tif 000010
【図９】
2007304415.tif 000011
【図１０】
2007304415.tif 000012
【図１１】
2007304415.tif 000013